(57)【要約】【課題】柱や横桟などの建物の構造体に対してパネルなどを容易に着脱することができるようなパネルなどの取り付け構造を提供する。【解決手段】正面視Ｖ字状をなし、かつ、奥方に向かって傾斜する第一の傾斜面２０を有する第一の係止体を設けるとともに、パネル３の裏面側にも、同様に、正面視Ｖ字状をなし、かつ、下端が尖状となるような第二の傾斜面３１を有する第二の係止体３０を設け、このＶ字状をなす第一の係止体に第二の係止体３０を載せるように取り付けるようにする。パネル３の自重によって柱２ａ側に押し付けられ、かつ、Ｖ字状をなす下端部分で左右方向の位置決めを行うことができる。しかも、パネル３を取り外す際は、右側の廻り縁４のビスを外すだけでよいので、パネル３に貼り付けられたクロスを剥がして釘を抜く必要がなく、簡単にパネル３を取り外すことができるようになる。【選択図】図１
2006257791.tif 000002
【特許請求の範囲】
【請求項１】
地面に対して鉛直方向に設けられた物体装着面に第一の係止体を設けるとともに装着対象物に第二の係止体を設け、該第一の係止体と第二の係止体とを係止させて装着対象物を物体装着面に取り付けるようにした装着対象物の取り付け構造において、
前記物体装着面側に設けられる第一の係止体に、正面視Ｖ字状をなし、奥方に向かって落とし込むような第一の傾斜面を設け、
前記装着対象物側に設けられる第二の係止体に、前記第一の傾斜面に対応して、正面視Ｖ字状をなし、該Ｖ字の下端を尖状にした第二の傾斜面を設け、
前記第一の傾斜面上に前記第二の傾斜面を載せることによって装着対象物を物体装着面に押し付けて装着するようにしたことを特徴とする装着対象物の取り付け構造。
【請求項２】
前記第一の傾斜面が、柱に跨って取り付けられる横桟上に設けられるものである請求項１に記載の装着対象物の取り付け構造。
【請求項３】
前記第一の傾斜面が、左右に分離された第一の係止体構成要素上に設けられるものである請求項１に記載の装着対象物の取り付け構造。
【発明の詳細な説明】
【技術分野】
【０００１】
本発明は、建物にパネルなどを取り付ける構造に関するもので、より詳しくは、建物の柱などに対してパネルなどを着脱可能に取り付けられるようにした装着対象物の取り付け構造に関するものである。
【背景技術】
【０００２】
一般に、室内空間にパネルを取り付ける場合、柱や横桟に合板を打ち付け、その表面に石膏ボードやクロスを貼り付けるようにしている（特許文献１）。このようなパネルの内側、すなわち、パネルと外壁材との間やパネルと隣接する部屋のパネルとの間には、一般に、断熱材や配線、配管などが設けられており、一度、パネルを柱や横桟に釘で打ち付けてしてしまうと、パネルの内側の状態を視認することができない。このため、パネルの内側は手抜き工事の温床となり、また、内側部分を容易に視認することができないために、結露した断熱材の交換や、電話線、電力線の這い回しなどを行うことができなかった。
【０００３】
このようなパネルの取り外し方法としては、まず、合板に貼り付けられているクロスを剥がし取り、その合板に打ち付けられている釘を工具で抜き取った後、その合板を桟から取り外すといった方法がとられている。
【特許文献１】特開平０９−２５６５９３号公報
【発明の開示】
【発明が解決しようとする課題】
【０００４】
しかしながら、このように釘を抜き取ることで取り外す方法では、合板に貼り付けられたクロスをすべて剥がし取らなければならず、しかも、釘を抜き取るために多大の時間と労力を要する。また、釘を抜き取るために生じた大きなこじ開け孔によって、再度パネルを取り付ける際は、新たな合板を用意して取り付けなければならないといった問題があった。
【０００５】
そこで、本発明は上記課題に着目してなされたもので、柱や横桟などの建物の構造体に対してパネルなどを容易に着脱することができるようなパネルなどの取り付け構造を提供することを目的とする。
【課題を解決するための手段】
【０００６】
すなわち、本発明は上記課題を解決するために、地面に対して鉛直方向に設けられた物体装着面に第一の係止体を設けるとともに装着対象物に第二の係止体を設け、該第一の係止体と第二の係止体とを係止させて装着対象物を物体装着面に取り付ける装着対象物の取り付け構造において、前記物体装着面に設けられる第一の係止体に、正面視Ｖ字状をなし、奥方に向かって落とし込むような第一の傾斜面を設け、前記装着対象物に設けられる第二の係止体に、前記第一の傾斜面に対応して、正面視Ｖ字状をなし、該Ｖ字の下端を尖状にした第二の傾斜面を設け、前記第一の傾斜面上に前記第二の傾斜面を載せることによって装着対象物を物体装着面に押し付けて装着するようにしたものである。
【０００７】
このような発明によれば、正面視Ｖ字状の左右の傾斜によって装着対象物の左右方向の位置決めを行うことができ、また、奥方（装着面へ向かう方向）へ落とし込むような傾斜面によって、第二の係止体を自重で物体装着面側に押し付けることができるようになる。これにより、釘などを使うことなくパネルを取り付けることができ、パネルを取り外す際は、そのパネルを持ち上げることによって容易にパネルを取り外すことができるので、その内側の状態を視認して、断熱部材の交換や電話線や電力線の這い回しなどといった作業を行うことができるようになる。
【０００８】
また、前記第一の係止体に設けられる第一の傾斜面を、柱に跨って取り付けられる横桟上に設けるようにする。
【０００９】
このような発明によれば、構造体に強度を持たせる横桟を利用して装着対象物を取り付けることができるので、別途装着対象物を取り付けるための金具などを用意する必要がないので、部品点数を少なくすることができるようになる。
【００１０】
さらには、前記第一の係止体を、左右に分離された第一の係止体構成要素によって構成する。
【００１１】
このような発明によれば、第一の係止体構成要素を小さくすることができるので、任意の位置に第一の係止体を取り付けることができるようになる。特に、柱の間に断熱材の取り付けが困難になるような場合、大きな横桟を柱間に跨って取り付けるようにすれば、断熱材の取り付け作業が困難になるが、このように分離した第一の係止体構成要素を柱上に取り付けるようにすると、柱間に大きな開口を作ることができるので、断熱材や配線の這い回しなどを楽に行うことができるようになる。
【発明の効果】
【００１２】
本発明によれば、物体装着面側に、正面視Ｖ字状をなし、奥方に向かって落とし込むような第一の傾斜面を設けるとともに、これに対応して、装着対象物側にＶ字をなし、該Ｖ字の下端を尖状にした第二の傾斜面を設け、それぞれを装着対象物の自重によって係止させるようにしたので、Ｖ字形状によって装着対象物の左右方向の位置決めを行うことができ、しかも、奥方へ落とし込むような傾斜面によって装着対象物を自重で物体装着面側に押し付けることができる。これにより、パネルを持ち上げることによって容易にパネルを取り外すことができ、その内側の状態を視認して、断熱部材の交換や電話線や電力線の這い回しなどを容易に行うことができるようになる。
【発明を実施するための最良の形態】
【００１３】
以下、本発明の一実施の形態について図面を参照して説明する。図１は、この実施の形態におけるパネル３の取り付け構造１を示したものであり、柱２ａに正面視Ｖ字状の横桟２ｂを取り付けた状態を示したものである。また、図２は、図１における断面図であってパネル３を装着する例を示したものであり、図３および図４は、他の実施の形態における装着例を示したものである。
【００１４】
この実施の形態におけるパネル３の取り付け構造１は、軸工法などによって設けられた柱２ａの前面側（室内空間側を前面とする）に正面視Ｖ字状をなす横桟２ｂを取り付け、この横桟２ｂにパネル３を上から着脱可能に取り付けられるようにしたものである。この横桟２ｂは、柱２ａ間の中央部分を下端とするような正面視Ｖ字状に構成され、しかも、奥方側を下端側とするような第一の傾斜面２０を設けて構成される。この横桟２ｂは、柱２ａに対して上下方向に等間隔で取り付けられる。これらの横桟２ｂは、上下幅が同じ角材を中央部分で左右接合して設けるようにしてもよく、もしくは、図３に示すように、下端が水平で上端部分のみをＶ字状に構成して設けるようにしてもよい。特に、後者のように下端側を水平な状態とすれば、左右の横桟２ｂを接合する必要がなくなり、強度的にも強いものとすることができる。もちろん、前者のＶ字状の横桟２ｂについては中央部分で左右を接合するのではなく、単一の角材を切り出しによってＶ字状に構成するようにしてもよい。そして、このように構成された横桟２ｂは、柱２ａの前面側に釘などによって固定される。また、この横桟２ｂは、図４に示すように、柱２ａの内側に跨るように取り付けられる。このように、柱２ａの間にこのような横桟２ｂを取り付けるようにすると、前面への出っ張りが少なくなるために、室内空間を広く確保することができる。一方、前者のように、柱２ａの前方に横桟２ｂを取り付けるようにすると、柱２ａの間に広く断熱部材などを取り付けるスペースを大きく確保することができるという利点がある。
【００１５】
一方、パネル３の裏面側には、Ｖ字状の横桟２ｂに対応したＶ字状の第二の係止体３０が設けられる。図１（ｂ）は、パネル３を裏側から見た図を示している。この第二の係止体３０は、横桟２ｂと同じ正面視Ｖ字形状をなし、しかも、奥方の下端を尖状に傾斜させた第二の傾斜面３１を有する。この第二の係止体３０は、横桟２ｂの切り出しによって余った部材をそのまま用いるようにしてもよく、或いは、別の部材を用いて新たにＶ字状の第二の傾斜面３１を有するように制作してもよい。この第二の係止体３０は、第一の係止体２ｂと同じ間隔をおいて上下方向に複数設けられる。
【００１６】
このように構成された第一の係止体２ｂと第二の係止体３０を用いてパネル３を取り付ける場合について説明する。
【００１７】
このようなＶ字状の第一の傾斜面２０をなす第一の係止体２ｂの上に第二の係止体３０を載せると、そのパネル３の重みによって下方向への荷重が作用する。この荷重によって、正面視Ｖ字状の傾斜面によってパネル３が正確に中央部分に位置するようになり、しかも、奥方に落とし込むように傾斜された第一の傾斜面２０によってパネル３が奥方へ押し付けられる。これによりパネル３の位置決めと装着面側への押し付けを同時に行うことができるようになる。
【００１８】
このパネル３は、床面と天井面の高さよりも若干小さく構成される。このように小さく構成するのは、床面と天井面との高さと同じであると、第一の係止体２ｂであるＶ字状の横桟２ｂに上からパネル３を載せることができなくなるからである。このため、パネル３は、床面と天井面との高さよりも若干小さく構成され、第二の係止体３０をＶ字状の横桟２ｂ上に載せた後、上側の隙間などに廻り縁４を取り付けるようにする。
【００１９】
この廻り縁４には、図５に示すように、左右方向に沿って傾斜し、かつ、その側面を傾けるような第三の傾斜面４１を有する第三の係止体４０を設けている。また、この第三の傾斜面４１に対応してパネル３の上端部分にも、左右方向に沿って傾斜し、かつ、その側面を傾けるような第四の傾斜面２２を有する第四の係止体２１を設けている。そして、この廻り縁４をパネル３の上端の隙間に沿って左右方向にスライドさせ、この第三の傾斜面４１と第四の傾斜面２２を接合させるように係止させる。これにより、廻り縁４は、パネル３の奥方に向かってフランジ部４２が押し付けられ、かつ、パネル３の上端部分にも押し付けられて、パネル３に密着するように取り付けられる。
【００２０】
また、パネル３の側面および下端部分にも廻り縁４を取り付ける必要がある場合は、その側面や下端部分にも同様の第三の係止体４０を設けるとともに、また、その廻り縁４についても同様の第四の係止体２１を設ける。そして、これらの廻り縁４をスライドさせることによって側部や下端部に取り付ける。この状態を図７に示す。廻り縁４を取り付ける場合、図７に示すように、まず、パネル３の上端部分から廻り縁４をスライドさせて取り付け（ａ）、次に、そのスライドによって形成された上端角部の隙間部分に下側から側面用の廻り縁４を取り付け（ｂ）、さらに、そのスライドによって形成された下端角部の隙間部分に下端用の廻り縁４をスライドさせて取り付ける（ｃ、ｄ）。最後の一辺（右側側面）については、廻り縁４をスライドさせて取り付けると隙間が残ってしまうため、この部位については、その隙間と同じ大きさの廻り縁４を用意しておき、これをビス止めなどによって取り付ける（ｅ）。なお、この側方や下端側の廻り縁４を取り付ける必要がない場合は、このような方法を採用することなく、そのままパネル３を境界部分まで設けるようにしてもよい。
【００２１】
このように上記実施の形態によれば、地面に対して鉛直方向に設けられた柱２ａに正面視Ｖ字状をなし、かつ、奥方に向かって傾斜する第一の傾斜面２０を有する第一の係止体２ｂを設けるとともに、パネル３の裏面側にも、同様に、正面視Ｖ字状をなし、かつ、下端が尖状となるような第二の傾斜面３１を有する第二の係止体３０を設け、このＶ字状をなす第一の係止体２ｂに第二の係止体３０を載せるように取り付けるようにしたので、パネル３の自重によって柱２ａ側に押し付けられ、かつ、Ｖ字状をなす下端部分で左右方向の位置決めを行うことができる。しかも、パネル３を取り外す際は、右側の廻り縁４のビスを外すだけでよいので、パネル３に貼り付けられたクロスを剥がして釘を抜く必要がなく、簡単にパネル３を取り外すことができるようになる。
【００２２】
また、横桟２ｂを正面視Ｖ字状にすることによってパネル３を取り付けるようにしたので、その横桟２ｂによって構造体の強度を保つことができるとともに、別途装着対象物を桟に取り付けるための部材を容易する必要がないので、部品点数を少なくすることができるようになる。
【００２３】
なお、本発明は上記実施の形態に限定されることなく、種々の態様で実施することができる。
【００２４】
例えば、上記実施の形態では、横桟２ｂによって正面視Ｖ字状をなす第一の係止体２ｂを構成するようにしているが、横桟２ｂに限らず、左右に分離した部材によっても第一の係止体２ｂを構成することができる。この状態を図８に示す、図８では、第一の係止体構成要素２３を柱２ａ上に取り付けた例を示している。この第一の係止体構成要素２３は、左右の第一の係止体構成要素２３によって正面視仮想のＶ字状をなし、かつ、奥方に向かって落とし込むような第一の傾斜面２０を有する部材で構成される。パネル３側にはこれに対応して第一の実施の形態と同様のＶ字状をなす第二の係止体３０を設けるか、或いは、この第一の係止体構成要素２３に対応する第二の傾斜面３１を有する第二の係止体構成要素２４を設けてそれぞれ係止させるようにする。このようにすれば、柱２ａ間に広い開口を作ることができるため、この開口部分に断熱部材を入れ込むことができるようになる。もちろん、この第一の係止体２ｂについては、横桟状の第一の係止体２ｂとともに、分離された第一の係止体構成要素２３を組み合わせて用いることもできる。
【００２５】
また、上記実施の形態では、廻り縁４をスライドさせることによって取り付けるようにしているが、これに限らず、それぞれをビスなどで取り付けるようにしてもよい。このようにビスで廻り縁４を固定する場合であっても、パネル３のクロスを剥がす必要がないので、大掛かりな作業を要することなく、パネル３を簡単に取り外すことができるようになる。
【００２６】
また、上記実施の形態では、Ｖ字状をなす横桟２ｂの中央部分を下端とするように設定しているが、これに限らず、中央からずれた位置を下端とするようにしてもよく、或いは、このような下端の位置を複数箇所設けるようにしてもよい。また、上記実施の形態では、Ｖ字状をなす中央部分を下端としているが、これとは逆の構造、すなわち、中央部分が上端となるような形状であってもよい。
【００２７】
さらには、上記実施の形態では、パネル３を取り付ける場合について説明したが、パネル３に限らず、額や時計、温度計、照明器具などの装着対象物を壁面に取り付ける場合にも適用することができる。
【図面の簡単な説明】
【００２８】
【図１】本発明の一実施の形態におけるパネルの取り付け構造を示す正面図
【図２】同形態における側面図およびパネルの取り付け状態を示す図
【図３】他の実施の形態を示す横桟の取り付け状態を示す図
【図４】他の実施の形態を示す横桟の取り付け状態を示す図
【図５】同形態における廻り縁とパネルの上面部分を示す図
【図６】同形態における廻り縁とパネルの上面部分の側面図
【図７】同形態における廻り縁の取り付け状態を示す図
【図８】他の実施の形態における第一の係止体を示す図
【符号の説明】
【００２９】
１・・・装着物の取り付け構造
２ａ・・・柱
２ｂ・・・横桟（第一の係止体）
２０・・・第一の傾斜面
２１・・・第四の係止体
２２・・・第四の傾斜面
２３・・・第一の係止体構成要素
２４・・・第二の係止体構成要素
３・・・パネル
３０・・・第二の係止体
３１・・・第二の傾斜面
４・・・廻り縁
４０・・・第三の係止体
４１・・・第三の傾斜面
４２・・・フランジ部４２
【図１】
2006257791.tif 000003
【図２】
2006257791.tif 000004
【図３】
2006257791.tif 000005
【図４】
2006257791.tif 000006
【図５】
2006257791.tif 000007
【図６】
2006257791.tif 000008
【図７】
2006257791.tif 000009
【図８】
2006257791.tif 000010